(57)【要約】【課題】相対的に小さい力で光源ユニットを着脱可能な照明器具を提供する。【解決手段】照明器具Ａは、長尺状に形成された器具本体１と、器具本体１に対して着脱自在に取り付けられる光源ユニット２とを備える。光源ユニット２は、複数のＬＥＤ２２２が実装されたＬＥＤ基板２２と、ＬＥＤ基板２２を器具本体１に取り付けるための取付部材２１と、複数のＬＥＤ２２２に点灯電力を供給する電源装置２４とを有する。光源ユニット２は、光源ユニット２の幅方向における一端側を回動中心として回動させることで器具本体１に取り付けられるようになっており、電源装置２４は、光源ユニット２の重心が光源ユニット２の中心軸Ｐ１に対して回動側となるように配置される。【選択図】図１
2014078426.tif 000002
【特許請求の範囲】
【請求項１】
長尺状に形成された器具本体と、前記器具本体に対して着脱自在に取り付けられる光源ユニットとを備え、
前記光源ユニットは、複数のＬＥＤが実装されたＬＥＤ基板と、前記複数のＬＥＤが前記器具本体と反対側を向くようにして前記ＬＥＤ基板を前記器具本体に取り付けるための取付部材と、前記複数のＬＥＤに点灯電力を供給する電源装置とを有し、
前記光源ユニットは、前記光源ユニットの幅方向における一端側を回動中心として回動させることで前記器具本体に取り付けられ、
前記電源装置は、前記光源ユニットの重心が前記光源ユニットの中心軸に対して回動側となるように配置されることを特徴とする照明器具。
【請求項２】
前記器具本体の一面には、前記光源ユニットの少なくとも一部を収容するための矩形の収容凹部が前記器具本体の長手方向に沿って設けられており、
前記取付部材は、前記取付部材の幅方向における一端側に延出し且つ先端に引掛け部が設けられた係止板と、前記取付部材の幅方向における他端側に設けられた係止ばねとを有し、
前記収容凹部の幅方向における一端側の側面部には、前記係止板を挿通するための挿通孔が設けられ、前記収容凹部の幅方向における他端側には、前記係止ばねを係止するための係止部が設けられており、
前記係止板が前記挿通孔内に挿入され前記引掛け部が前記挿通孔の端縁に引っ掛けられて前記光源ユニットが前記器具本体に吊り下げられた状態から、前記係止板が前記挿通孔の端縁に当接し且つ前記係止ばねが前記係止部に係止した状態で前記係止板側を回動中心として前記光源ユニットが回動することで、前記光源ユニットが前記器具本体に取り付けられることを特徴とする請求項１記載の照明器具。
【発明の詳細な説明】
【技術分野】
【０００１】
本発明は、照明器具に関するものである。
【背景技術】
【０００２】
従来より、天井に取り付けられる天井直付け型の照明器具が提供されている（例えば特許文献１参照）。この照明器具は、横長且つ長尺状に形成された器具本体と、器具本体に対して着脱自在に取り付けられる光源部とを備え、器具本体の略中央部には光源部を収容するための収容凹部が全長に亘って設けられている。また光源部は、横長且つ長尺状に形成された取付部材と、複数の発光素子がそれぞれ実装され取付部材の下面に並べて取り付けられる複数の基板と、複数の基板を覆うようにして取付部材に取り付けられるカバー部材とを有する。
【０００３】
取付部材は、長尺且つ矩形板状に形成された底面部と、底面部の幅方向における両側から底面部と直交する方向に延設された側面部とで略Ｕ字状に形成されており、各側面部の先端には、外向きに延出する係止壁がそれぞれ設けられている。また、一方の係止壁の先端には、係止壁と直交する方向に延出する引掛け部が設けられている。そして、一体に組み付けられた光源部を器具本体に取り付ける際には、器具本体の収容凹部の側面部に設けた孔に引掛け部を引っ掛けて光源部を吊り下げた状態から、引掛け部を支点として光源部を回動させていき、器具本体に設けた係止部材に他方の係止壁を係止させると、光源部が器具本体に取り付けられる。
【先行技術文献】
【特許文献】
【０００４】
【特許文献１】特開２０１２−３９９３号公報
【発明の概要】
【発明が解決しようとする課題】
【０００５】
上述の特許文献１に示した照明器具では、光源部に点灯電力を供給する点灯装置が器具本体の収容凹部の底面部に取り付けられているが、例えば点灯装置を取付部材に取り付けようとすると、取付部材の底面部の上面中央に取り付けるのが一般的である。しかしながらこの場合、光源部の重心は光源部の中心軸上にあるため、引掛け部により吊り下げた状態から光源部を器具本体に取り付ける際に比較的大きな力が必要であった。また、光源部を器具本体から取り外す際には、引掛け部を中心とする回転力が発生するが、それを支える力も比較的大きくなるものであった。
【０００６】
本発明は上記問題点に鑑みて為されたものであり、その目的とするところは、相対的に小さい力で光源ユニットを着脱可能な照明器具を提供することにある。
【課題を解決するための手段】
【０００７】
本発明の照明器具は、長尺状に形成された器具本体と、器具本体に対して着脱自在に取り付けられる光源ユニットとを備える。光源ユニットは、複数のＬＥＤが実装されたＬＥＤ基板と、複数のＬＥＤが器具本体と反対側を向くようにしてＬＥＤ基板を器具本体に取り付けるための取付部材と、複数のＬＥＤに点灯電力を供給する電源装置とを有する。光源ユニットは、光源ユニットの幅方向における一端側を回動中心として回動させることで器具本体に取り付けられる。電源装置は、光源ユニットの重心が光源ユニットの中心軸に対して回動側となるように配置される。
【０００８】
この照明器具において、器具本体の一面には、光源ユニットの少なくとも一部を収容するための矩形の収容凹部が器具本体の長手方向に沿って設けられており、取付部材は、取付部材の幅方向における一端側に延出し且つ先端に引掛け部が設けられた係止板と、取付部材の幅方向における他端側に設けられた係止ばねとを有し、収容凹部の幅方向における一端側の側面部には、係止板を挿通するための挿通孔が設けられ、収容凹部の幅方向における他端側には、係止ばねを係止するための係止部が設けられており、係止板が挿通孔内に挿入され引掛け部が挿通孔の端縁に引っ掛けられて光源ユニットが器具本体に吊り下げられた状態から、係止板が挿通孔の端縁に当接し且つ係止ばねが係止部に係止した状態で係止板側を回動中心として光源ユニットが回動することで、光源ユニットが器具本体に取り付けられるのが好ましい。
【発明の効果】
【０００９】
光源ユニットの重心が光源ユニットの中心軸に対して回動側となるように電源装置を配置しているので、器具本体に対して光源ユニットを着脱する際に光源ユニットに加える力を相対的に小さくすることができるという効果がある。
【図面の簡単な説明】
【００１０】
【図１】（ａ）〜（ｃ）は本実施形態の照明器具において光源ユニットを器具本体に取り付ける手順を説明する説明図である。
【図２】同上の分解斜視図である。
【図３】同上の全体斜視図である。
【図４】同上において光源ユニットを器具本体に吊り下げた状態の斜視図である。
【図５】同上において光源ユニットを器具本体に吊り下げた状態の一部拡大図である。
【図６】同上において光源ユニットを器具本体に取り付けた状態の一部省略せる断面図である。
【図７】同上に用いられる取付部材の要部拡大図である。
【図８】同上の別の例を示す断面図である。
【発明を実施するための形態】
【００１１】
以下に、照明器具Ａの実施形態について図１〜図８を参照して説明する。なお、以下の説明では特に断りがない限り、図１（ｃ）に示す向きにおいて上下左右の方向を規定し、さらに図１（ｃ）中の紙面に垂直な方向を前後方向と規定して説明を行う。
【００１２】
本実施形態の照明器具Ａは、図１〜図４に示すように、天井直付け型の照明器具であり、吊ボルト（図示せず）を用いて天井材１００に取り付けられる器具本体１と、器具本体１に対して着脱自在に取り付けられる光源ユニット２とを備える。
【００１３】
器具本体１は、板金に曲げ加工を施すことで長尺且つ上面（天井材１００との対向面）が開口する扁平な箱状に形成され、天井材１００と反対側（つまり下側）には光源ユニット２を収容するための矩形の収容凹部１１が器具本体１の全長に亘って設けられている。また、器具本体１の左右方向（幅方向）において収容凹部１１の両側には、収容凹部１１の開口端縁から延出し且つ外側に行くほど上側（天井材１００側）に傾斜する傾斜面１２，１２がそれぞれ設けられている。また、収容凹部１１の底面部１１１には、電線を通すための孔１１１ａが前後方向（長手方向）に沿って複数（図２では５個）設けられており、さらに前後方向における両端寄りの位置に吊ボルトを通すための孔１１１ｂがそれぞれ２個ずつ設けられている。さらに、収容凹部１１の左側の側面部１１２には、図４に示すように、矩形の挿通孔１１２ａが器具本体１の前後方向における両端寄りの位置にそれぞれ設けられている。また、器具本体１の前後方向における両端部には、図２及び図３に示すように、エンドキャップ３がそれぞれ取り付けられている。
【００１４】
光源ユニット２は、図２に示すように、複数（図２では２個）のＬＥＤ基板２２と、ＬＥＤ基板２２が取り付けられる取付部材２１と、ＬＥＤ基板２２を覆うようにして取付部材２１に取り付けられるカバー部材２３と、ＬＥＤ基板２２に所定の点灯電力を供給する電源装置２４と、端子台ブロック２５とを有する。
【００１５】
ＬＥＤ基板２２は、前後方向に長い矩形板状に形成されたプリント基板２２１からなり、プリント基板２２１の下面には複数のＬＥＤ（発光ダイオード）２２２が前後方向（長手方向）に沿って実装されている。また、一方（図２中の右側）のＬＥＤ基板２２の一端部（右端部）には、電源装置２４との間を電気的に接続するためのコネクタ２２３が実装されている。このコネクタ２２３には電線（図示せず）が接続されており、この電線の端部を電源装置２４に接続することでＬＥＤ基板２２と電源装置２４とが電気的に接続される。また、各ＬＥＤ基板２２において隣接するＬＥＤ基板２２と対向する端部には、電源供給用のコネクタ２２４がそれぞれ実装されている。そして、両ＬＥＤ基板２２，２２のコネクタ２２４，２２４を接続することで、一方（図２中の右側）のＬＥＤ基板２２から他方（図２中の左側）のＬＥＤ基板２２に電源を供給することができる。
【００１６】
取付部材２１は、板金に曲げ加工を施すことでＵ字状に形成され、長尺且つ矩形板状に形成された底面部２１１と、底面部２１１の左右方向（幅方向）における両端から上下方向（底面部２１１と直交する方向）に延出する一対の側面部２１２とで構成される。各側面部２１２の先端には、図１及び図５に示すように、互いに離れる方向に傾斜する傾斜部２１２ａがそれぞれ全長に亘って設けられている。底面部２１１の前後方向（長手方向）における一端部（図２中の右端部）には、ＬＥＤ基板２２と電源装置２４とを電気的に接続する上記電線を通すための孔２１１ａが設けられている。また、底面部２１１の前後方向における略中央には、底面部２１１の一部を上向きに突出させることで形成された矩形の凹部２１１ｂが設けられている。この凹部２１１ｂは、両ＬＥＤ基板２２，２２を取付部材２１に取り付けた状態で、コネクタ２２４と取付部材２１の底面部２１１との間の絶縁距離を確保するためのものである。なお、上述したＬＥＤ基板２２は、例えば取付部材２１の底面部２１１の一部を切り起こすことで形成された係止爪（図示せず）により取付部材２１に固定される。
【００１７】
カバー部材２３は、拡散性を有する材料（例えば乳白色のアクリル樹脂）により上面（取付部材２１側の面）が開口する長尺状に形成され、左右方向（幅方向）において両端側から中央側に行くほど下側への突出量が大きくなるような凸レンズ形状の拡散面２３１を有している（図１（ｃ）参照）。また、カバー部材２３の左右方向における両端部には、図１（ｃ）に示すように、光源ユニット２を器具本体１に取り付けた状態で、上下方向において器具本体１の収容凹部１１の開口端縁と重なる延出部２３２がそれぞれ設けられている。また、カバー部材２３の左右方向において各延出部２３２の内側には、上側（取付部材２１側）に突出する突壁部２３３がそれぞれ全長に亘って設けられており、各突壁部２３３の先端には内向きに突出する突起部２３３ａがそれぞれ設けられている。
【００１８】
電源装置２４は、電源基板２４１と、電源基板２４１を収納するための収納ケース２４２とを有する。電源基板２４１は、前後方向に長い矩形板状に形成されたプリント基板２４１ａからなり、このプリント基板２４１ａには、少なくともＬＥＤ２２２の点灯電力を生成するために必要な回路部品（例えばトランスやダイオード、コンデンサなど）２４１ｂが実装されている。収納ケース２４２は、図１（ｃ）及び図２に示すように、一面（取付部材２１の底面部２１１との対向面）が開口し且つ前後方向に長い矩形箱状に形成されており、開口側が取付部材２１の底面部２１１と対向するようにして、例えばねじなどを用いて取付部材２１の側面部２１２に取り付けられる。なおこのとき、電源装置２４は、取付部材２１の底面部２１１と両側面部２１２，２１２とで囲まれる空間からなる収容部２１３に少なくとも一部が配置される（図１（ｃ）参照）。
【００１９】
端子台ブロック２５は、矩形箱状に形成された端子台２５１と、端子台２５１を取付部材２１に取り付けるための取付金具２５２とを有する。端子台２５１には、天井材１００を通して室内側（下側）に露出する電源線（図示せず）が接続されるとともに、電源装置２４との間を電気的に接続する電線（図示せず）が接続される。そして、この端子台ブロック２５は、少なくとも一部が収容部２１３に収容された状態で、例えばねじなどを用いて取付部材２１に取り付けられる。
【００２０】
ここで、図７は上述した取付部材２１の要部拡大図であり、本実施形態では、取付部材２１を器具本体１に係止するための係止金具２６及び係止ばね２７が取付部材２１に取り付けられている。係止金具２６は、板金に曲げ加工を施すことで形成され、略矩形板状に形成された金具本体２６１の左端縁には、側方（左側）に延出する矩形板状の係止板２６２が設けられている。また、係止板２６２の先端には、係止板２６２と直交する方向（図７中の下方向）に延出する引掛け部２６２ａが設けられている。さらに、金具本体２６１の右端縁には、係止ばね２７を保持するための保持部２６３と、係止ばね２７の一方の腕部２７２が係止される係止部２６４とが設けられている。
【００２１】
係止ばね２７は、線ばねをコイル状に巻回して形成された基端部２７１と、基端部２７１の両端から互いに離れる方向に延設された一対の腕部２７２，２７３とを有する。この係止ばね２７は、基端部２７１が係止金具２６の保持部２６３に保持され、さらに一方の腕部２７２が係止部２６４に係止された状態で係止金具２６に取り付けられる。そして、これらの係止金具２６及び係止ばね２７は、図４に示すように、取付部材２１の前後方向（長手方向）における両端寄りの位置に、取付ねじ２００を用いてそれぞれ１組ずつ取り付けられる。なお、取付状態では、各係止ばね２７の腕部２７３が、互いに離れる方向、つまり前後方向における外向きに延出するようにそれぞれ配置される（図４参照）。
【００２２】
図５は光源ユニット２を器具本体１に吊り下げた状態の一部拡大図であり、器具本体１の収容凹部１１の底面部１１１には、上述した係止ばね２７の腕部２７３を係止するための係止金具２８（係止部）が取り付けられている。この係止金具２８は、図５及び図６に示すように、底面部１１１に取り付けるための取付片２８１と、係止ばね２７の腕部２７３を係止するための係止片２８２とを有し、側面視の形状がＵ字状に形成されている。また、係止片２８２の前後方向における両端縁には、図５に示すように、溝２８２ａ，２８２ａがそれぞれ設けられている。そして、この係止金具２８は、取付ねじ２０１を用いて収容凹部１１の底面部１１１に取り付けられるが、本実施形態では、器具本体１の前後方向における両端寄りの位置に各１個の係止金具２８がそれぞれ取り付けられており、各係止金具２８は各組の係止金具２６及び係止ばね２７にそれぞれ対応している。
【００２３】
次に、光源ユニット２の組立手順について説明する。なお以下の説明では、係止金具２６及び係止ばね２７が取付部材２１に予め取り付けられているものとして説明する。まず最初に、作業者は、電源装置２４及び端子台ブロック２５をそれぞれ取付部材２１の上面側に取り付け、さらに電源装置２４と端子台ブロック２５の間を電線により接続する。その後、作業者は、上記係止爪によりＬＥＤ基板２２を取付部材２１の底面部２１１に固定し、さらにＬＥＤ基板２２のコネクタ２２３から導出する電線を取付部材２１の底面部２１１に設けた孔２１１ａに通した後、その端部を電源装置２４に接続する。そして最後に、作業者は、開口側を上向きにした状態でカバー部材２３を取付部材２１に組み付ける。このとき、カバー部材２３の各突壁部２３３にそれぞれ設けた突起部２３３ａが、取付部材２１の各側面部２１２にそれぞれ設けた傾斜部２１２ａと係合し、カバー部材２３が取付部材２１に取り付けられる。以上のような手順に従って、光源ユニット２が組み立てられる。なお、カバー部材２３を取付部材２１に取り付ける上記方法は一例であり、他の方法であってもよい。
【００２４】
続けて、照明器具Ａの施工手順について説明する。なお以下の説明では、係止金具２８が器具本体１に予め取り付けられているものとして説明する。まず最初に、作業者は、室内側に露出する上記電源線を器具本体１に設けた孔１１１ａに通し、さらに天井材１００を通して室内側に露出する吊ボルト（図示せず）を孔１１１ｂに通した後、吊ボルトにナット（図示せず）をねじ込んで器具本体１を天井材１００に固定する。その後、作業者は、上記電源線を端子台２５１に接続し、少なくとも電源装置２４及び端子台ブロック２５が収容凹部１１に収容されるようにして光源ユニット２を器具本体１に取り付ける。
【００２５】
ここで、光源ユニット２を器具本体１に取り付ける手順について詳述する。まず最初に、作業者は、取付部材２１に取り付けた各係止金具２６の係止板２６２を器具本体１の収容凹部１１の側面部１１２に設けた各挿通孔１１２ａにそれぞれ挿入した後、各係止板２６２の先端に設けた引掛け部２６２ａを挿通孔１１２ａの端縁にそれぞれ係止させて光源ユニット２を器具本体１に吊り下げる（図１（ａ）参照）。次に、作業者は、係止金具２６側（図１（ａ）中の左側）を回動中心として光源ユニット２を左回り（反時計回り）に所定位置（係止ばね２７の腕部２７３が係止金具２８に届く位置）まで回動させる。その後、作業者は、光源ユニット２を保持した状態のまま、各係止ばね２７の腕部２７３の先端に設けた引掛け部２７３ａを、対応する係止金具２８の係止片２８２に設けた内側の溝２８２ａの端縁にそれぞれ係止させる。そしてこの状態から、作業者が光源ユニット２を左回りに回動させていくと（図１（ｂ）参照）、各係止ばね２７の腕部２７３が対応する係止金具２８の係止片２８２の裏面に摺動しながら、図６に示す位置まで移動し、光源ユニット２が器具本体１に取り付けられる（図１（ｃ）参照）。なおこのとき、各係止金具２８に対して対応する係止ばね２７より下向きのばね力が加えられ、この反力により光源ユニット２が上向き（器具本体１側）に押し上げられており、カバー部材２３の延出部２３２が器具本体１の収容凹部１１の開口端縁に当接した状態で保持される。またこのとき、各係止金具２６の係止板２６２が、対応する挿通孔１１２ａの端縁にそれぞれ当接している（図１（ｃ）参照）。以上のような手順に従って、照明器具Ａが天井材１００に施工される。
【００２６】
ところで本実施形態では、図（ａ）〜図１（ｃ）に示すように、光源ユニット２の重心が光源ユニット２の中心軸Ｐ１に対して回動側（図１（ａ）中の左側）となるように、電源装置２４を左寄せで取付部材２１に取り付けている。これにより、器具本体１に対して光源ユニット２を着脱する際に光源ユニット２に加える力を、従来例に比べて小さくすることができる。
【００２７】
図８は本実施形態の照明器具Ａの別の例を示す断面図である。上述の実施例では、天井材１００に取り付けられる天井直付け型の照明器具について説明したが、本例のように、天井材１００に設けた埋込孔１００ａを通して天井裏に埋込配設される天井埋込型の照明器具であってもよい。
【００２８】
本例の照明器具Ａは、吊ボルト（図示せず）を用いて天井裏に配設される支持部材４と、支持部材４に取り付けられる反射板５と、反射板５に対して着脱自在に取り付けられる光源ユニット２とを備える。なお、光源ユニット２については上述の実施例と同様であり、ここでは説明を省略する。
【００２９】
反射板５は、板金に曲げ加工を施すことで長尺且つ下面が開口する扁平な箱状に形成され、反射板５の底面部には、光源ユニット２を収容するための矩形の収容凹部５１が反射板５の全長に亘って設けられている。また、反射板５の開口端縁には、側方に延出する鍔部５２が全周に亘って設けられており、天井裏に配設された支持部材４に反射板５を取り付けた状態では、鍔部５２が天井材１００の下面に当接する（図８参照）。ここに本例では、反射板５により器具本体が構成されている。
【００３０】
次に、照明器具Ａの施工手順について説明する。なお、光源ユニット２を反射板５に取り付ける手順については上述の実施例と同様であり、ここでは説明を省略する。まず最初に、作業者は、天井材１００に設けた埋込孔１００ａを通して支持部材４を天井裏に配設し、天井裏に設けた吊ボルト（図示せず）に支持部材４を取り付ける。その後、作業者は、天井裏に配線された電源線（図示せず）を反射板５の収容凹部５１に設けた孔（図示せず）を通して室内側（下側）に引き出し、例えばねじなどを用いて反射板５を支持部材４に取り付ける。そして最後に、作業者は、上記電源線を端子台ブロック（図示せず）に接続し、少なくとも電源装置２４及び端子台ブロックが収容凹部５１に収容されるようにして、上記手順に従って光源ユニット２を反射板５に取り付ける。以上のような手順に従って、照明器具Ａが天井裏に埋込配設される。
【００３１】
本例においても、電源装置２４を左寄せで取付部材２１に取り付けることで、上述の実施例と同様に、器具本体１に対して光源ユニット２を着脱する際に光源ユニット２に加える力を、従来例に比べて小さくすることができる。
【００３２】
なお、本実施形態における電源装置２４の配置は一例であり、光源ユニット２の重心が光源ユニット２の中心軸Ｐ１に対して回動側となるような配置であればよい。また、係止金具２６，２８や係止ばね２７の形状についても本実施形態のものに限定されるものではなく、光源ユニット２を回動させて器具本体１に取り付けることができるものであれば、他の形状でもよい。
【符号の説明】
【００３３】
１  器具本体
２  光源ユニット
２１  取付部材
２２  ＬＥＤ基板
２４  電源装置
２２２  ＬＥＤ
Ａ  照明器具
Ｐ１  中心軸
【図１】
2014078426.tif 000003
【図２】
2014078426.tif 000004
【図３】
2014078426.tif 000005
【図４】
2014078426.tif 000006
【図５】
2014078426.tif 000007
【図６】
2014078426.tif 000008
【図７】
2014078426.tif 000009
【図８】
2014078426.tif 000010